(57)【要約】【課題】主制御盤内の非常用バッテリの使用を前提とすることなく容易且つ確実にブレーキ装置を開放すること。【解決手段】停電により乗りかご４が階床間で停止した場合、エレベータ管理者又は保守作業員は、基準階の乗場に配設されたコンセント部材１０に携帯型エレベータ操作器１２のプラグ部材１６を結合させ、バッテリ１４からの電流供給によりブレーキ装置９を開放させる。また、乗りかご４とカウンタウェイト５との間の重量がバランス状態にあるため、ブレーキ装置９を開放しただけでは乗りかご４が動かない場合、保守作業員等は携帯型エレベータ操作器１２を持って乗りかご４の屋根上に乗り込み、コンセント部材１７にプラグ部材１６を結合させる。【選択図】図１
2008230757.tif 000002
【特許請求の範囲】
【請求項１】
昇降路の上部に配設された巻上機のブレーキ装置と、
昇降路内に配設され、前記巻上機及びブレーキ装置を制御するエレベータ制御装置を有する主制御盤と、
前記ブレーキ装置及び前記エレベータ制御装置にケーブル部材を介して接続され、前記主制御盤外部の所定個所に配設された接続端子部材と、
前記接続端子部材に接続した状態で前記ブレーキ装置又は前記エレベータ制御装置に対する手動操作を行うものであり、少なくとも前記ブレーキ装置を開放させるのに充分な電力を蓄積可能なバッテリを有する携帯型エレベータ操作器と、
を備えたことを特徴とする機械室レスエレベータシステム。
【請求項２】
前記接続端子部材が配設された所定個所は、基準階の乗場である、
ことを特徴とする請求項１記載の機械室レスエレベータシステム。
【請求項３】
前記接続端子部材が配設された所定個所は、乗りかごの屋根上である、
ことを特徴とする請求項１記載の機械室レスエレベータシステム。
【請求項４】
前記携帯型エレベータ操作器は、前記エレベータ制御装置に停電時救出運転を行わせることが可能なものである、
ことを特徴とする請求項１記載の機械室レスエレベータシステム。
【請求項５】
前記昇降路内の乗りかご着床位置に着床検出板が配設されると共に、乗りかごにこの着床検出板を検出する着床検出スイッチが取り付けられており、
前記携帯型エレベータ操作器には、前記着床検出スイッチからの着床検出信号に基づき乗りかごが着床位置に到達したことを報知する着床位置報知手段が設けられている、
ことを特徴とする請求項１記載の機械室レスエレベータシステム。
【発明の詳細な説明】
【技術分野】
【０００１】
本発明は、昇降路内に主制御盤が設置されている機械室レスエレベータシステムに関するものである。
【背景技術】
【０００２】
エレベータシステムは、機械室が設置される「機械室設置タイプ」と、建物の有効利用のために機械室が設置されない「機械室レスタイプ」との２つのタイプに分けられる。従来のエレベータシステムの多くは前者のタイプであったが、最近は建物の有効利用の観点が重視され、次第に後者のタイプが多く採用されつつある。
【０００３】
前者においては、昇降路上方に設置される機械室内部に巻上機や主制御盤が配設され、一方、後者においては、昇降路最上部に巻上機が配設されると共に、所定階床の乗場又は昇降路内の所定個所に主制御盤（盤内にエレベータ制御装置が収納されている）が配設されるようになっている。
【０００４】
そして、後者の中でも、主制御盤が昇降路内に配設される機械室レスエレベータシステムでは、停電事故等が発生した場合に、迅速にエレベータ管理者や保守作業員が手動操作によって乗りかごを運転できるようにするため、各階床の乗場に仮運転操作器を配設したり、携帯した仮運転操作器を乗りかごの屋根上で操作できる環境などを調えるようにしていた（例えば特許文献１参照）。
【特許文献１】特開２００４−６７２７４号公報
【発明の開示】
【発明が解決しようとする課題】
【０００５】
ところで、停電時に乗りかごが階床間で停止して閉じ込め事故が発生した場合、乗りかごを最寄り階に移動させて乗客を救出するためには、まずブレーキ装置のブレーキコイルに電流を供給してブレーキ装置を開放する必要がある。特許文献１に係るエレベータシステムでは、このブレーキコイルへの電流供給源として主制御盤内に設けられている非常用バッテリを用いることを前提としている。
【０００６】
しかし、この主制御盤内の非常用バッテリは劣化しやすく、メンテナンスが充分に行われていない場合には必ずしもブレーキ装置を開放するのに充分な電流を供給できない虞がある。このような場合には、ブレーキコイルに別の電流供給源を接続する作業を足場が不自由な昇降路最上部において行わなければならず、エレベータ管理者や保守作業員に多大な労力負担を強いるばかりか、乗客の救出が大きく遅れる結果となる。
【０００７】
本発明は上記事情に鑑みてなされたものであり、主制御盤内の非常用バッテリの使用を前提とすることなく容易且つ確実にブレーキ装置を開放することができ、乗りかご内の乗客を迅速に救出することができる機械室レスエレベータシステムを提供することを目的としている。
【課題を解決するための手段】
【０００８】
本発明は上記課題を解決するための手段として、昇降路の上部に配設された巻上機のブレーキ装置と、昇降路内に配設され、巻上機及びブレーキ装置を制御するエレベータ制御装置を有する主制御盤と、ブレーキ装置及びエレベータ制御装置にケーブル部材を介して接続され、主制御盤外部の所定個所に配設された接続端子部材と、接続端子部材に接続した状態でブレーキ装置又はエレベータ制御装置に対する手動操作を行うものであり、少なくともブレーキ装置を開放させるのに充分な電力を蓄積可能なバッテリを有する携帯型エレベータ操作器と、を備えたことを特徴とする。
【発明の効果】
【０００９】
本発明によれば、主制御盤内の非常用バッテリの使用を前提とすることなく容易且つ確実にブレーキ装置を開放することができ、乗りかご内の乗客を迅速に救出することができる。
【発明を実施するための最良の形態】
【００１０】
図１は、本発明の実施形態に係る機械室レスエレベータシステムの全体構成図である。昇降路１の上部に巻上機２が配設されており、この巻上機２に主ロープ３が巻回されている。主ロープ３の一端側は乗りかご４に取り付けられ、他端側はカウンタウェイト５に取り付けられている。
【００１１】
昇降路１の内壁には、エレベータ制御装置７を有する主制御盤６が配設されており、この主制御盤６と乗りかご４の底部との間には、制御ケーブル及び電源ケーブル等を内装したテールコード８が接続されている。
【００１２】
巻上機２にはブレーキ装置９が並設されている。このブレーキ装置９は、巻上機２の回転駆動軸に取り付けられたブレーキドラムに対してブレーキパッドをバネ力により押圧することで乗りかご４を停止させた状態に維持することが可能である。そして、通常運転時に乗場に停止している乗りかご４を移動させる際は、内蔵されたブレーキコイルに通電したときの電磁力によりブレーキドラムに対するブレーキパッドの押圧を解除し、その後にエレベータ制御装置７が巻上機２を回転駆動するようになっている。したがって、乗りかご４が階床間を走行中に停電事故等が発生しブレーキコイルへの通電が遮断されると、ブレーキドラムに対するブレーキパッドの押圧解除が不可能になり、所謂閉じ込め事故が発生する。
【００１３】
主制御盤６外部の所定個所には、主制御盤６とケーブル１１を介して接続されたコンセント部材１０（接続端子部材）が配設されている。この所定個所は、本実施形態では、建物の出入り口階又は玄関階となる基準階である。本実施形態では、このコンセント部材１０を利用して、携帯型エレベータ操作器１２によるエレベータ操作ができるようになっている。
【００１４】
携帯型エレベータ操作器１２は、本体１３内部にバッテリ１４を有するものであり、更に本体１３には先端部にプラグ部材１６が取り付けられたケーブル１５が接続されている。プラグ部材１６はコンセント部材１０と結合可能なものであり、この結合により携帯型エレベータ操作器１２は主制御盤６を介してブレーキ装置９のブレーキコイルに対する電流供給が可能となり、また、エレベータ制御装置７に対する操作が可能となる。したがって、バッテリ１４は、少なくともブレーキ装置９に開放動作を行わせるのに充分な電力を蓄積可能なものである。
【００１５】
そして、本実施形態では、乗りかご４の屋根上にもコンセント部材１０と同様のコンセント部材１７が配設されている。このコンセント部材１７は、テールコード８に内装された制御ケーブル及び電源ケーブルを介して主制御盤６に接続されている。携帯型エレベータ操作器１２のプラグ部材１６は、このコンセント部材１７にも結合可能なものである。
【００１６】
また、本実施形態では、昇降路１の側壁における乗りかご４の着床位置に着床検出板１８が配設されると共に、乗りかご４にはこの着床検出板１８を検出する着床検出スイッチ１９（例えば、マイクロスイッチ又はリミットスイッチにより構成される）が取り付けられている。この着床検出スイッチ１９からの着床検出信号はエレベータ制御装置７を介して携帯型エレベータ操作器１２に送ることが可能になっている。
【００１７】
図２は、図１の機械室レスエレベータシステムの要部構成を示す回路図である。ブレーキ装置９はブレーキコイル２０を有しており、主制御盤６は非常用バッテリ２１及び投入スイッチ２２を有している。ブレーキコイル２０の一方の端子Ｔ１は投入スイッチ２２を介して非常用バッテリ２１の正側に接続され、他方の端子Ｔ２は非常用バッテリ２１の負側に接続されている。
【００１８】
ケーブル１１は電源ケーブル１１ａ及び制御ケーブル１１ｂにより構成され、これらのケーブルを介して端子Ｔ１，Ｔ２及びエレベータ制御装置７がコンセント部材１０に接続されている。同様に、テールコード８は電源ケーブル８ａ及び制御ケーブル８ｂを有しており、これらのケーブルを介して端子Ｔ１，Ｔ２及びエレベータ制御装置７がコンセント部材１７に接続されている。
【００１９】
携帯型エレベータ操作器１２の本体１３内部には、上記のバッテリ１４の他に、操作回路２３、バッテリ１４の投入スイッチ２４、着床報知手段２５が設けられている。また、ケーブル１５は電源ケーブル１５ａ及び制御ケーブル１５ｂにより構成され、これらのケーブルを介してバッテリ１４及び操作回路２３がプラグ部材１６に接続されている。したがって、プラグ部材１６をコンセント部材１０又はコンセント部材１７に結合させることにより、バッテリ１４からブレーキコイル２０に対して電流を供給することが可能となり、また、操作回路２３からの操作信号をエレベータ制御装置７に送出することが可能である。更に、図１に示した着床検出スイッチ１９からの検出信号は、エレベータ制御装置７及び操作回路２３を介して着床報知手段２５に送られ、乗りかご４の着床が報知されるようになっている。
【００２０】
次に、上記のように構成される本実施形態の動作につき説明する。通常運転時は、エレベータ制御装置７の巻上機２及びブレーキ装置９に対する制御により、乗りかご４が昇降路１内を昇降動する。しかし、乗りかご４が階床間を走行中に停電事故が発生すると、巻上機２の回転が停止すると共にブレーキ装置９が作動して乗りかご４は非常停止する。
【００２１】
この場合、エレベータ制御装置７が停電時救出運転機能を具備するものであり、且つ主制御盤６内の非常用バッテリ２１が正常に充電された状態であれば、エレベータ制御装置７はこの停電時救出運転機能に基づき所定時間経過後に乗りかご４を最寄り階に移動させ、乗りかご４内の乗客を救出させることができる。
【００２２】
しかし、エレベータ制御装置７が停電時救出運転機能を具備するものでない場合、又は具備していてもエレベータ制御装置７に異常が生じている場合、あるいは更に非常用バッテリ２１が正常に充電されていない場合等には、ブレーキ装置９を開放させることができないため、所定時間が経過しても乗りかご４はそのまま階床間に停止した状態となる。
【００２３】
このような場合、エレベータ管理者、又はエレベータ管理者から連絡を受けたエレベータ保守会社の保守作業員は、携帯型エレベータ操作器１２を基準階の乗場に配設されたコンセント部材１０付近まで携帯し、プラグ部材１６をコンセント部材１０に結合させる。ここで、エレベータ管理者が常駐する管理室は基準階又はその付近の階床に設置されていることが多く、また外部から建物内に入る保守作業員が最も早く到達する階床は基準階である。したがって、エレベータ管理者又は保守作業員は、迅速に携帯型エレベータ操作器１２のプラグ部材１６をコンセント部材１０に結合させることができる。
【００２４】
次いで、エレベータ管理者又は保守作業員は、携帯型エレベータ操作器１２の操作回路２３により次のような操作を行う。
【００２５】
第一に、エレベータ制御装置７が停電時救出運転機能を具備するものでない場合、又は具備していてもエレベータ制御装置７に異常が生じている場合は、投入スイッチ２４のオンオフを繰り返すようにする。これにより、バッテリ１４からブレーキコイル２０に対する電流供給が断続されてブレーキ装置９のブレーキ保持動作及び開放動作が繰り返し行われるので、乗りかご４を少しずつ移動させながら最寄り階へ接近させることができる。なお、このとき乗りかご４が下降するか上昇するかは、乗りかご４とカウンタウェイト５との間の重量バランスにより決まるが、両者間に一定以上の重量差が生じていれば、ブレーキ装置９の開放動作により乗りかご４を移動させることができる。
【００２６】
乗りかご４が最寄り階に接近すると、やがて着床検出スイッチ１９が着床検出板１８を検出する。この検出信号は、エレベータ制御装置７を経由して操作回路２３に入力され、操作回路２３はこの入力した着床検出信号に基づき、着床報知手段２５に乗りかご４が最寄り階に着床したことを報知させる。この報知動作は、例えば、表示灯の点灯動作又はブザーの鳴動などである。エレベータ管理者又は保守作業員は、このような着床報知手段２５の報知動作によって乗りかご４が着床位置に到達したこと、及びその移動を停止させる最適なタイミングなどを知ることができる。
【００２７】
第二に、エレベータ制御装置７が正常な停電時救出運転機能を具備しているが、非常用バッテリ２１が正常に充電されていないため乗りかご４が停止したままの状態である場合、エレベータ管理者又は保守作業員は、操作回路２３により投入スイッチ２４をオンにすると共に、停電時救出運転指令をエレベータ制御装置７に対して出力させるようにする。
【００２８】
すると、投入スイッチ２４のオンによりバッテリ１４からブレーキコイル２０に電流が供給され、ブレーキ装置９が開放されるので、エレベータ制御装置７は停電時救出運転機能に基づき巻上機２を制御して乗りかご４を最寄り階に着床させることができる。このとき、着床検出スイッチ１９の検出に基づき、着床報知手段２５が報知動作を行うので、エレベータ管理者又は保守作業員はこの報知動作を確認した後、投入スイッチ２４をオフすればよい。これにより、バッテリ１４からブレーキコイル２０への電流供給が遮断され、ブレーキ装置９は再びブレーキ保持状態となる。
【００２９】
ところで、上記の第一の場合は、乗りかご４とカウンタウェイト５との間の重量バランスが崩れていたために、ブレーキ装置９を開放させることにより乗りかご４を移動させることが可能であった。しかし、両者間の重量がバランス状態にある場合は、ブレーキ装置９を開放させても乗りかご４はそのまま停止し続けることになる。
【００３０】
このような場合、保守作業員は、乗りかご４停止位置の上方階床の乗場から携帯型エレベータ操作器１２を携帯して乗りかご４の屋根上に乗り込み、プラグ部材１６をコンセント部材１７に結合させるようにする。そして、第１の場合で既述したのと同様にして、投入スイッチ２４のオンオフを繰り返すようにする。すると、保守作業員が乗りかご４の屋根上に乗り込んだことによって、乗りかご４とカウンタウェイト５との間の重量バランスが崩れた状態になるので（乗りかご４側の重量が大きくなる）、乗りかご４は下降し始める。したがって、乗りかご４を下方の最寄り階まで移動させ、乗りかご４内の乗客を救出することができる。
【００３１】
以上のように、図１及び図２に示した本実施形態の構成によれば、建物の基準階や乗りかご４の屋根上などに接続端子部材であるコンセント部材１０，１７を配設し、これらのコンセント部材にバッテリ１４が組み込まれた携帯型エレベータ操作器１２のプラグ部材１６を接続することによってブレーキ装置９又はエレベータ制御装置７に対して手動操作を行うようにしているので、主制御盤６内の非常用バッテリ２１の使用を前提とすることなく容易且つ確実にブレーキ装置９を開放することができ、乗りかご４内の乗客を迅速に救出することができる。
【図面の簡単な説明】
【００３２】
【図１】本発明の実施形態に係る機械室レスエレベータシステムの全体構成図。
【図２】図１の機械室レスエレベータシステムの要部構成を示す回路図。
【符号の説明】
【００３３】
１：昇降路
２：巻上機
３：主ロープ
４：乗りかご
５：カウンタウェイト
６：主制御盤
７：エレベータ制御装置
８：テールコード
８ａ：電源ケーブル
８ｂ：制御ケーブル
９：ブレーキ装置
１０：コンセント部材（接続端子部材）
１１：ケーブル
１１ａ：電源ケーブル
１１ｂ：制御ケーブル
１２：携帯型エレベータ操作器
１３：本体
１４：バッテリ
１５：ケーブル
１５ａ：電源ケーブル
１５ｂ：制御ケーブル
１６：プラグ部材
１７：コンセント部材（接続端子部材）
１８：着床検出板
１９：着床検出スイッチ
２０：ブレーキコイル
２１：非常用バッテリ
２２：投入スイッチ
２３：操作回路
２４：投入スイッチ
２５：着床報知手段
Ｔ1，Ｔ2：端子
【図１】
2008230757.tif 000003
【図２】
2008230757.tif 000004